(57)【要約】      （修正有）【課題】造形が特殊で、かつ、ダンピング強度が調整できる握力器を提供する。【解決手段】第１力付与部１０と、第２力付与部２０と、連結部３０とを備え、連結部３０は、第１力付与部１０と第２力付与部２０との間に夾角θを形成させるように、一体成形方式で第１力付与部１０と第２力付与部２０との相互に対応する一側に連結され、第１力付与部１０と第２力付与部２０とは、それぞれ板状構造体であると共に、使用者の握持のために供され、連結部３０は、第１力付与部１０と第２力付与部２０とを相互に対合して前記夾角θの角度値を縮小する場合、ダンピング効果を提供すると共に、第１力付与部１０と第２力付与部２０とが位置復帰する場合、所要の復元力を提供する。【選択図】図２
0003221502.tif 000002
【実用新案登録請求の範囲】
【請求項１】
第１力付与部（１０）と、第２力付与部（２０）と、連結部（３０）とを備える握力器であって、
前記連結部（３０）は、前記第１力付与部（１０）と前記第２力付与部（２０）との間に夾角（θ）を形成させるように、一体成形方式で前記第１力付与部（１０）と前記第２力付与部（２０）との相互に対応する一側に連結され、前記第１力付与部（１０）と前記第２力付与部（２０）とは、それぞれ板状構造体であると共に、使用者の握持のために供され、前記連結部（３０）は、前記第１力付与部（１０）と前記第２力付与部（２０）とを相互に対合して前記夾角（θ）の角度値を縮小する場合、ダンピング効果を提供すると共に、前記第１力付与部（１０）と前記第２力付与部（２０）とが位置復帰する場合、所要の復元力を提供し、かつ前記第１力付与部（１０）と、前記第２力付与部（２０）と、前記連結部（３０）とは、可撓性材質から作製されることを特徴とする、握力器。
【請求項２】
前記第１力付与部（１０）と前記第２力付与部（２０）との外表面上にそれぞれ複数の凹部（１２、２２）が設置されることを特徴とする、請求項１に記載の握力器。
【請求項３】
前記第１力付与部（１０）と前記第２力付与部（２０）との間にさらに弾性体（４０Ａ）が挟設され、前記第１力付与部（１０）と前記第２力付与部（２０）とを相互に対合して前記夾角（θ）の角度値を縮小する場合、前記弾性体（４０Ａ）を圧迫して前記握力器のダンピング効果を高め、握力の鍛練効果を強化することを特徴とする、請求項１又は２に記載の握力器。
【請求項４】
前記第１力付与部（１０）と前記第２力付与部（２０）との内面にそれぞれ第１当止構造（１３）と第２当止構造（２３）とが凸設され、前記第１力付与部（１０）と前記第２力付与部（２０）とを相互に対合して前記夾角（θ）の角度値を縮小する場合、前記第１当止構造（１３）と前記第２当止構造（２３）とは、前記弾性体（４０Ａ）に対して当止位置規制の機能を提供することを特徴とする、請求項３に記載の握力器。
【請求項５】
前記弾性体（４０Ａ）は、円球状の構造体であり、かつ前記第１力付与部（１０）と前記第２力付与部（２０）との内面にそれぞれ第１凹弧部（１４）と第２凹弧部（２４）とが形成され、前記弾性体（４０Ａ）が前記第１凹弧部（１４）と前記第２凹弧部（２４）とに一部受容され、前記第１力付与部（１０）と前記第２力付与部（２０）とを相互に対合して前記夾角θの角度値を縮小する場合、前記第１力付与部（１０）と前記第２力付与部（２０）との前記弾性体（４０Ａ）に対して提供される当止位置規制の機能を強化することを特徴とする、請求項４に記載の握力器。
【考案の詳細な説明】
【技術分野】
【０００１】
本考案は、握力器に係り、特に造形が特殊であり、かつダンピング強度が調整できる斬新な構造形態の開示に関するものである。
【背景技術】
【０００２】
従来、手部の筋肉力を鍛練する目的を達成するために、握力器は、今までずっと多くの人々の１番望ましい選択肢である。而して、従来の握力器具とは、主にねじりバネの両端にそれぞれハンドルが固設されるものであり、使用者が力を加えて握持することで、握力を鍛練する目的を奏することができる。
【０００３】
ただし、このような従来の構造形態は、実際の使用経験において、依然として下記の問題点が存在することが発見された。
１．製造価格が高価である。習用の握力器の主要な構成部材は、線径が約３ｍｍのねじりバネであり、その製造価格がかなり高額になってしまい、必ずしも一般の消費者に受け入れられるものではない。
２．ねじりが大きくて調整不能である。前記習用の握力器のねじりが非常に大きくて調整不能であると共に、子供、高齢者や握り強さが比較的に小さい女性などに相応しくなく、いつの間にかその消費者層が制限されてしまい、また、そのねじりが大きいので、使用時に少し不注意にしていると、手部の運動障害を非常に引き起こしやすいという問題があった。
３．機能が単一である。単一の部位のみを鍛練し、異なる部位に鍛練しようとすると、異なる握力器を用意しなければならないため、使用者にとっては相当に経済的とは言えない。
【０００４】
このほか、他の握力器業者が開発した環状の握力器もあり、この握力器は、通常、シリコンと類似する材質から作製され、材料自身の弾性のみを抵抗として利用し、それに提供される運動（鍛練）効果にかなり限界がある。また、この類の材質は、日照や空気接触による酸化現象が生じやすくなり、その使用寿命に影響を及ぼすおそれがある。しかも、このタイプの握力器は、通常、単一の材質から作製されるので、勿論、運動強度を調整する機能を提供することもできない。
【考案の概要】
【考案が解決しようとする課題】
【０００５】
本考案は、握力器を提供することを主な目的とし、その解決しようとする技術的課題は、如何にして生き生きとした造形を持ち、より理想的で実用性のある握力器のオリジナルな構造形態を研究開発するかを目標として革新突破を思案することである。
【課題を解決するための手段】
【０００６】
本考案の課題を解決するための技術的特長は、主としてかかる握力器は、第１力付与部と、第２力付与部と、連結部とを備え、その中、前記連結部は、前記第１力付与部と前記第２力付与部との間に夾角を形成させるように、一体成形方式で前記第１力付与部と前記第２力付与部との相互に対応する一側に連結され、前記第１力付与部と前記第２力付与部とは、それぞれ板状構造体であると共に、使用者の握持のために供され、前記連結部は、前記第１力付与部と第２力付与部とを相互に対合して前記夾角の角度値を縮小する場合、ダンピング効果を提供すると共に、前記第１力付与部と第２力付与部とが位置復帰する場合、所要の復元力を提供する。
【考案の効果】
【０００７】
この斬新な独特の設計によれば、本考案は、従来の技術に比較すると、弾性体を取替える技術手段と生き生きと活発な造形設計を利用することができ、ダンピング値の総合値を調整して握力器の適用範囲を拡大すること、及び消費者の注目を引き付けることなどが達成できる、実用進歩性と好適な産業経済（利用）利益を得ることができる。
【図面の簡単な説明】
【０００８】
【図１】本考案の第１の好適な実施例の外観斜視図である。
【図２】使用者が本考案の第１の好適な実施例を握持した側面図である。
【図３】本考案の第１の好適な実施例の使用状態参考図である。
【図４】本考案の第２の好適な実施例の外観斜視図である。
【図５】本考案の第２の好適な実施例の分解斜視図である。
【図６】本考案の第２の好適な実施例の前面図である。
【図７】使用者が本考案の第２の好適な実施例を握持した側面図である。
【図８】本考案の第２の好適な実施例の使用状態参考図である。
【図９】本考案の第３の好適な実施例の外観斜視図である。
【図１０】本考案の第４好適な実施例の外観斜視図である。
【考案を実施するための形態】
【０００９】
図１と図２を参照し、これらの図に示すのは、本考案の握力器の第１の好適な実施例だが、これらの実施例は説明のみに用いられるもので、実用新案登録請求の際、それらの構造に制限されないものとする。
【００１０】
かかる握力器は、第１力付与部１０と、第２力付与部２０と、連結部３０とを備え、その中、前記連結部３０は、前記第１力付与部１０と前記第２力付与部２０との間に夾角θを形成させるように、一体成形方式で前記第１力付与部１０と前記第２力付与部２０との相互に対応する一側に連結され、前記第１力付与部１０と前記第２力付与部２０とは、それぞれ板状構造体であると共に、使用者の握持のために供され、前記連結部３０は、前記第１力付与部１０と第２力付与部２０とを相互に対合して前記夾角θの角度値を縮小する場合、ダンピング効果を提供すると共に、前記第１力付与部１０と第２力付与部２０とが位置復帰する場合、所要の復元力を提供する。
【００１１】
前記第１力付与部１０と、前記第２力付与部２０と、前記連結部３０とは、可撓性材質から作製される。前記第１力付与部１０と前記第２力付与部２０との内部にそれぞれ第１強化構造１１と第２強化構造２１とが設置される。前記第１力付与部１０と第２力付与部２０との上にそれぞれ複数の凹部１２，２２が設置され、前記複数の凹部１２，２２は、使用者が前記第１力付与部１０と前記第２力付与部２０とを握持する時の指先方向に向かって延伸するものであり、使用者が前記第１力付与部１０と前記第２力付与部２０とを容易に握持することができる。
【００１２】
上記の構造組立設計により、本考案の使用作動態様について以下のように説明する。図２に示すように、まず、使用者の親指と他の４本の指でそれぞれ前記第１力付与部１０と前記第２力付与部２０を軽く握持し、かつ使用者の手の各指頭でそれぞれ相対応の凹部１２，２２の底部を押圧し、かつ使用者の指先が前記第１力付与部１０と第２力付与部２０との自由端部の方向に向かって延伸する。さらに、図３に示すように、前記第１力付与部１０と前記第２力付与部２０を押圧したり、解放したりする動作を繰り返すことにより、握力を鍛練する目的を達成することができる。
【００１３】
図４〜図６に示す本考案の第２の好適な実施例を参照して、この好適な実施例において、前記第１力付与部１０Ａと前記第２力付与部２０Ａとの間にさらに弾性体４０Ａが挟設され、前記第１力付与部１０Ａと第２力付与部２０Ａとを相互に対合して前記夾角θの角度値を縮小する場合、前記弾性体４０Ａを圧迫して本考案のダンピング効果を高め、握力の鍛練効果を強化する。
【００１４】
前記第１力付与部１０Ａと前記第２力付与部２０Ａとの内面にそれぞれ第１当止構造１３と第２当止構造２３とが凸設され、前記第１力付与部１０Ａと前記第２力付与部２０Ａとを相互に対合して前記夾角θの角度値を縮小する場合、前記第１当止構造１３と前記第２当止構造２３とは、前記弾性体４０Ａに対して当止位置規制の機能を提供する。
【００１５】
この好適な実施例において、前記弾性体４０Ａは、円球状の構造体であり、かつ前記第１力付与部１０Ａと前記第２力付与部２０Ａとの内面にそれぞれ第１凹弧部１４と第２凹弧部２４とがさらに形成され、前記弾性体４０Ａが前記第１凹弧部１４と前記第２凹弧部２４とに一部受容され、前記第１力付与部１０Ａと前記第２力付与部２０Ａとを相互に対合して前記夾角θの角度値を縮小する場合、前記第１力付与部１０Ａと前記第２力付与部２０Ａとの前記弾性体４０Ａに対して提供される当止位置規制の機能を強化する。このほか、異なる弾性係数を有する弾性体４０Ａを取替えることにより、本考案全体のダンピング値を調整する作用を果たし、本考案の適用範囲を拡大することができる。
【００１６】
上記の構造組立設計により、本考案の第２の好適な実施例の使用作動態様について以下のように説明する。図７、図８に示すように、本考案の第２の好適な実施例の握持方式と使用方式は、いずれも前述した第１の好適な実施例と同様だが、前記第１力付与部１０Ａと前記第２力付与部２０Ａとの間にさらに前記弾性体４０Ａが挟設されるため、使用者が前記第１力付与部１０Ａと前記第２力付与部２０Ａとを圧接触させる場合、前記連結部３０は、前記弾性体４０Ａと同期にしてダンピング効果を提供するので、前述した第１の好適な実施例に比較すると、本考案の第２の好適な実施例は、より好ましい握力の訓練効率を提供することができる。
【００１７】
本考案の別の設計特徴は、つまり消費者が伝統的な運動フィットネス器具に対する氷のように冷たく剛硬な既存のイメージを柔らげることにある。
【００１８】
図１に示す第１の好適な実施例を参照して、前記連結部３０を利用して相互に連結される前記第１力付与部１０と前記第２力付与部２０は、意図的に貝殻造形に設計され、また、図４〜図６に示す第２の好適な実施例において、前記第１力付与部１０Ａと前記第２力付与部２０Ａとにさらに挟設される前記円球状の弾性体４０Ａを貝殻内に生成される真珠と見なすので、本考案は、握力の訓練に提供されるのみならず、同時により生き生きとした視覚効果を提供する。売り場において、販売・展示時、消費者の注目を引き付けることができ、消費者の購買意欲を高めることができる。
【００１９】
図９に示すように、本考案に掲示された第１力付与部１０Ｂと前記第２力付与部２０Ｂをさらに前記異なる造形の弾性体４０Ｂに合わせて伝統的な軽食「刈包（台湾風ハンバーガー）」のような模様に設計することができ、生き生きと実物に近似の色調に合わせると、使用しない時にでも装飾品として置くことができる。
【００２０】
図１０に示すように、本考案に掲示された第１力付与部１０Ｃと第２力付与部２０Ｃをさらに前記異なる造形の弾性体４０Ｃに合わせてコンビニに販売されている「ビッグバイトホットドッグ」のような模様に設計することができ、このような造形は、軸線が比較的に長いため、甚だしい場合は前述した各実施例の片手使用モードと異なり、両手で同時に前記第１力付与部１０Ｃと前記第２力付与部２０Ｃを押圧すれば、半分の労力で倍の成果をあげうるという効果がある。
【符号の説明】
【００２１】
１０、１０Ａ、１０Ｂ、１０Ｃ：第１力付与部
１１：第１強化構造
１２：凹部
１３：第１当止構造
１４：第１凹弧部
２０、２０Ａ、２０Ｂ、２０Ｃ：第２力付与部
２１：第２強化構造
２２：凹部
２３：第２当止構造
２４：第２凹弧部
３０：連結部
４０Ａ、４０Ｂ、４０Ｃ：弾性体
θ：夾角
【図１】
0003221502.tif 000003
【図２】
0003221502.tif 000004
【図３】
0003221502.tif 000005
【図４】
0003221502.tif 000006
【図５】
0003221502.tif 000007
【図６】
0003221502.tif 000008
【図７】
0003221502.tif 000009
【図８】
0003221502.tif 000010
【図９】
0003221502.tif 000011
【図１０】
0003221502.tif 000012